(57)【要約】【課題】座り心地のよい椅子を提供する。【解決手段】本発明の椅子１は、脚部２と、脚部２によって支持された座部３と、を備える。座部３は、アウターシェル３４と、アウターシェル３４上に配置されるインナーシェル３３と、インナーシェル３３上に配置されるクッション材３１と、を備える。アウターシェル３４は、凹部３４１を有している。インナーシェル３３と、アウターシェル３４の凹部３４１を構成する底壁３４３との間には、座部３に荷重が掛かったときに、インナーシェル３３がアウターシェル３４の底壁３４３に向けて撓むことを許容する空間Ｓが存在している。【選択図】図２
2020018681.tif 000002
【特許請求の範囲】
【請求項１】
脚部と、前記脚部によって支持された座部と、を備える椅子であって、
前記座部は、アウターシェルと、前記アウターシェル上に配置されるインナーシェルと、前記インナーシェル上に配置されるクッション材と、を備え、
前記アウターシェルは、凹部を有し、
前記インナーシェルと、前記アウターシェルの凹部を構成する底壁との間には、前記座部に荷重が掛かったときに、前記インナーシェルが前記アウターシェルの底壁に向けて撓むことを許容する空間が存在している、
ことを特徴とする椅子。
【請求項２】
前記インナーシェルは、前記クッション材を収容する凹部を備え、
前記インナーシェルの凹部を構成する底壁は、前記アウターシェルの凹部に収容されており、
前記空間は、前記インナーシェルの底壁と前記アウターシェルの底壁との間に存在している、
請求項１に記載の椅子。
【請求項３】
前記アウターシェルの底壁上面の周縁近傍には、上方に延び、前記インナーシェルの底壁下面に当接する突出部が形成されており、又は、前記インナーシェルの底壁下面の周縁近傍には、下方に延び、前記アウターシェルの底壁上面に当接する突出部が形成されており、
前記座部に荷重が掛かっていない状態において、前記インナーシェルの底壁下面と前記アウターシェルの底壁上面とが当接しないことにより、前記突出部よりも内側に前記空間が形成されている、
請求項２に記載の椅子。
【発明の詳細な説明】
【技術分野】
【０００１】
本発明は、椅子に関する。
【背景技術】
【０００２】
特許文献１には、座部と、座部を支持する脚部とを備える椅子が開示されている。この椅子の座部は、座部本体を保持する保持部材を有する。保持部材は、座部本体を収容する凹部を有する第１保持部材と、第１保持部材を収容する凹部を有する第２保持部材とから構成されている。第１保持部材の底面にはリブが設けられている。このリブの頂部は、第２保持部材の凹部を構成する底壁に当接している。このような構成により、特許文献１の椅子は、利用者が座ったときに座部にかかる荷重に対する剛性を確保することができたとしている。
【先行技術文献】
【特許文献】
【０００３】
【特許文献１】特開２０１０−１５４９１６号公報
【発明の概要】
【発明が解決しようとする課題】
【０００４】
特許文献１の椅子では、リブの頂部が第２保持部材の凹部を構成する底壁に当接しているため、利用者が座ったときに第１保持部材が撓まず、固い座り心地となる。
【０００５】
本発明は、座り心地のよい椅子を提供することを目的とする。
【課題を解決するための手段】
【０００６】
本発明は、脚部と、前記脚部によって支持された座部と、を備える椅子であって、
前記座部は、アウターシェルと、前記アウターシェル上に配置されるインナーシェルと、前記インナーシェル上に配置されるクッション材と、を備え、
前記アウターシェルは、凹部を有し、
前記インナーシェルと、前記アウターシェルの凹部を構成する底壁との間には、前記座部に荷重が掛かったときに、前記インナーシェルが前記アウターシェルの底壁に向けて撓むことを許容する空間が存在している、
ことを特徴としている。
【０００７】
本発明に椅子において、
前記インナーシェルは、前記クッション材を収容する凹部を備え、
前記インナーシェルの凹部を構成する底壁は、前記アウターシェルの凹部に収容されており、
前記空間は、前記インナーシェルの底壁と前記アウターシェルの底壁との間に存在している、
ことが好ましい。
【０００８】
本発明の椅子において、
前記アウターシェルの底壁上面の周縁近傍には、上方に延び、前記インナーシェルの底壁下面に当接する突出部が形成されており、又は、前記インナーシェルの底壁下面の周縁近傍には、下方に延び、前記アウターシェルの底壁上面に当接する突出部が形成されており、
前記座部に荷重が掛かっていない状態において、前記インナーシェルの底壁下面と前記アウターシェルの底壁上面とが当接しないことにより、前記突出部よりも内側に前記空間が形成されている、
ことが好ましい。
【発明の効果】
【０００９】
本発明の椅子では、座部に使用者が着座して荷重が掛かった際に、インナーシェルがアウターシェルに向けて撓むため、座り心地がよい。
【図面の簡単な説明】
【００１０】
【図１】椅子の斜視図である。
【図２】図１のＩＩ−ＩＩ線断面図である。
【図３】下面側から見たインナーシェルの斜視図である。
【発明を実施するための形態】
【００１１】
本発明について図面を参照しながら説明する。以下で説明する実施形態は、本発明の好ましい一具体例を示すものである。本発明は、以下の実施形態に限定されず、その主旨を逸脱しない範囲で適宜変更可能である。
【００１２】
図１から図３を参照しながら、本発明の椅子１について説明する。図１は椅子１の斜視図である。図２は図１のＩＩ−ＩＩ線断面図である。図３は下面側から見たインナーシェル３３の斜視図である。以下では、説明の便宜上、図１に示す通り座標軸（上下方向、左右方向、前後方向）を設定する。この座標軸は着座者を基準にして規定されている。なお、「下面」とは、「上面」とは反対側の面、すなわち「裏面」のことである。
【００１３】
図１に示すように、椅子１は、脚部２と、座部３と、背もたれ４と、を備える。脚部２は、前脚２１と、後脚２２と、から成る。前脚２１及び後脚２２は、座部３の側面、具体的には後述する支持部材３５の側部に連結されている。
【００１４】
座部３は平面視で略矩形状である。図２に示すように、座部３は、クッション材３１と、カバー部材３２と、インナーシェル３３と、アウターシェル３４と、支持部材３５と、を備える。クッション材３１は例えばポリウレタンから成る。カバー部材３２は、クッション材３１及びインナーシェル３３の上面を覆っている。支持部材３５は、パイプから成る。支持部材３５は、矩形状の閉じた形状であり、アウターシェル３４の下面に係止されている。
【００１５】
図２に示すように、インナーシェル３３はアウターシェル３４上に配置されている。インナーシェル３３は下方に凹む凹部３３１を備える。凹部３３１内には、クッション材３１が収容されている。図２及び図３に示すように、凹部３３１を構成する底壁３３２の下面の周縁近傍には、下方に延びる複数のピン３３３が形成されている。底壁３３２のうち、ピン３３３よりも内側の領域には多数の貫通穴３３４が形成されている。これにより、底壁３３２は荷重が掛かった際に、下方に撓みやすくなっている。
【００１６】
図２に示すように、アウターシェル３４は、下方に凹む凹部３４１と、係止部３４２と、を備える。凹部３４１内には、インナーシェル３３が収容される。係止部３４２は、凹部３４１を構成する底壁３４３の下面側において、底壁３４３の周囲に設けられた溝である。係止部３４２には支持部材３５が係止されている。底壁３４３の上面の周縁近傍には、上方へ突出する突出部３４４が形成されている。突出部３４４はピン３３３と対応する位置に形成されている。突出部３４４には、ピン３３３が通過する貫通穴が形成されている。底壁３４３のうち、突出部３４４よりも内側の領域には、多数の貫通穴３４５が形成されている。
【００１７】
ピン３３３は突出部３４４に設けられた貫通穴を通過し、底壁３４３の下面に係止される。これにより、インナーシェル３３は、アウターシェル３４に取り付けられる。突出部３４４の上面には、インナーシェル３３の底壁３３２の下面が当接する。これにより、突出部３４４よりも内側の全領域において、インナーシェル３３の底壁３３２の下面とアウターシェル３４の底壁３４３の上面とは当接せず、これらの間には空間Ｓが形成される。つまり、突出部３４４の高さ分だけ、底壁３３２の下面と底壁３４３の上面との間に空間Ｓが形成される。
【００１８】
本発明の椅子１では、従来技術の椅子のように、インナーシェル３３の底壁３３２の下面には、アウターシェル３４の底壁３４３の上面に当接するリブは存在していない。そして、インナーシェル３３の底壁３３２の下面とアウターシェル３４の底壁３４３の上面とは当接しておらず、それらの間には空間Ｓが広がっている。これにより、座部３に使用者が着座し、下方に向けて荷重が掛かった際、インナーシェル３３の底壁３３２はアウターシェル３４の底壁３４３に向けて空間Ｓ内に撓むことができる。そのため、座り心地がよくなる。
【００１９】
＜変形例＞
（１）突出部３４４は、アウターシェル３４の底壁３４３の上面から上方に延びる代わりに、インナーシェル３３の底壁３３２の下面から下方に延び、アウターシェル３４の底壁３４３の上面と当接するよう構成されていてもよい。
【００２０】
（２）椅子１は、折り畳み椅子であってもよい。
【符号の説明】
【００２１】
１        椅子
２        脚部
３        座部
３１      クッション材
３３      インナーシェル
３３１    凹部
３３２    底壁
３４      アウターシェル
３４１    凹部
３４３    底壁
３４４    突出部
【図１】
2020018681.tif 000003
【図２】
2020018681.tif 000004
【図３】
2020018681.tif 000005